(57)【要約】【課題】  マウントユニットに取り付けたユニットからの排気をスムーズに行わせ、箱体に換気扇を取り付けなくても優れた冷却効果を得ることができるラックマウント型電子機器収納箱を提供する。【解決手段】  箱体１０の内部にユニット取付け用のコ字状のマウントユニット１２を備えたラックマウント型電子機器収納箱の改良であり、マウントユニット１２のユニット取付け片１５に排気ダクト１８を設け、ユニット１６からの排気を導く。排気ダクト１８の先端を箱体１０の壁面に形成された排気口２０に連通させ、外部に排気する。ユニット１６からの排気を排気ダクト１８を通じてスムーズに行わせることができ、箱体１０に換気扇を取り付ける必要がない。【選択図】    図４
2006060062.tif 000002
【特許請求の範囲】
【請求項１】
箱体の内部にユニット取付け用のコ字状のマウントユニットを備えたラックマウント型電子機器収納箱であって、マウントユニットのユニット取付け片にユニットからの排気を通す排気ダクトを構成し、その先端を箱体の壁面に形成された排気口に連通させたことを特徴とするラックマウント型電子機器収納箱。
【請求項２】
排気ダクトがユニットの排気ファンに対応する位置に開口を備えたものであることを特徴とする請求項１記載のラックマウント型電子機器収納箱。
【請求項３】
排気ダクトがその先端に伸縮可能なスライド部を備えたものであることを特徴とする請求項１記載のラックマウント型電子機器収納箱。
【発明の詳細な説明】
【技術分野】
【０００１】
本発明は、主として情報通信機器などの電子機器のユニットを収納するためのラックマウント型電子機器収納箱に関するものである。
【背景技術】
【０００２】
ラックマウント型電子機器収納箱は、特許文献１に示すように箱体の内部にユニット取付け用のコ字状のマウントユニットを設けたものであり、電子機器のユニットをマウントユニットに複数個並列に取り付けることができる構造となっている。
【０００３】
このようなユニットは内部の電子機器からの発熱量が大きいため、放熱させないとユニット内部が高温になり機器の故障や寿命低下などの不具合が発生する。特に情報通信機器は発熱が多く、通信ネットワークの基幹を担う機器がダウンするとその影響は非常に大きくなる。
【０００４】
そこで従来から、図８に示すように各ユニット１に排気ファン２を設けてユニット内部を冷却しているが、マウントユニット３がこれらの排気ファン２からのスムーズな排気を妨げる位置に配置されることが多く、マウントユニット３にスリット４を設けて通気抵抗を減少させる工夫がなされているものの、十分な冷却効果が得られないことがあった。なおマウントユニット３を小型化することも考えられるが、重量のある電子機器のユニットを支持するために構造上の強度が求められるため、排気ファン２からのスムーズな排気を妨げない程度にまで小型化することは容易ではない。
【０００５】
また、仮にユニット１の排気ファン２からの排気がうまく行われたとしても、排気は箱体５の内部に充満するため、そのままでは熱がこもりユニット１の十分な冷却を妨げる。この問題を解決するためには箱体５にも換気扇を取り付けて内部の空気を排気することが一般的な解決策であるが、コスト上昇、換気扇動作音による騒音、故障の可能性、定期的なメンテナンスの必要性などのデメリットが発生する。
【特許文献１】特開２００３−１４２８５７号公報
【発明の開示】
【発明が解決しようとする課題】
【０００６】
本発明は上記した従来の問題点を解決し、マウントユニットに取り付けたユニットからの排気をスムーズに行わせ、箱体に換気扇を取り付けなくても優れた冷却効果を得ることができるラックマウント型電子機器収納箱を提供するためになされたものである。
【課題を解決するための手段】
【０００７】
上記の課題を解決するためになされた本発明は、箱体の内部にユニット取付け用のコ字状のマウントユニットを備えたラックマウント型電子機器収納箱であって、マウントユニットのユニット取付け片にユニットからの排気を通す排気ダクトを構成し、その先端を箱体の壁面に形成された排気口に連通させたことを特徴とするものである。なお、排気ダクトがユニットの排気ファンに対応する位置に開口を備えたものであることが好ましく、排気ダクトがその先端に伸縮可能なスライド部を備えたものであることが好ましい。
【発明の効果】
【０００８】
本発明のラックマウント型電子機器収納箱は、マウントユニットのユニット取付け片にユニットからの排気を通す排気ダクトを構成し、その先端を箱体の壁面に形成された排気口に連通させたので、ユニット内部の電子機器の発熱により発生する高温の排気は、マウントユニットの排気ダクトを通って箱体の壁面に形成された排気口に導かれ、箱体の外部に放出される。このためユニットは確実に冷却される。また箱体に換気扇を取り付けなくても、箱体内部に熱がこもることがない。
【発明を実施するための最良の形態】
【０００９】
以下に本発明の好ましい実施形態を説明する。
図１において、１０は本発明のラックマウント型電子機器収納箱の箱体、１１はその扉である。箱体１０の内部には、マウントユニット１２が設置されている。マウントユニット１２は図２に示したように底部のユニット取付け片１３、側面板１４、上部のユニット取付け片１５とを備えて側面視するとコ字状のものであり、これらのユニット取付け片１３、１５の間に、図３、図４に示すように複数のユニット１６，１６を取り付けることができる構造となっている。各ユニット１６，１６の上面にはユニット内部を冷却するための排気ファン１７，１７が設けられている。
【００１０】
本実施形態では、上部のユニット取付け片１５の上方に排気ダクト１８が形成されている。排気ダクト１８はユニット取付け片１５と一体に設けても、別体に設けてもよい。この排気ダクト１８はユニット１６，１６の排気ファン１７，１７からの排気を通すためのものであり、ユニット１６の排気ファン１７に対応する位置には開口１９が形成されている。
【００１１】
排気ダクト１８は箱体１０の壁面に向かって延び、壁面に形成された排気口２０に連通している。排気口２０の設置位置は特に限定されるものではないが、箱体１０の上部や左右側壁には建物の天井や壁などがある場合が多いので、前面の扉１１に排気口２０を形成しておくことが好ましい。この実施形態では扉１１に排気口２０を形成し、その外側にフード２１を設けて雨水の侵入を防止している。
【００１２】
このように構成された本発明のラックマウント型電子機器収納箱においては、ユニット１６内部で発生した熱は排気ファン１７からユニット取付け片１５の上方に排気ダクト１８に入り、箱体１０の壁面に形成された排気口２０から外部に放出される。この排気ダクト１８は周囲を囲まれた筒状のものであるから、ユニット１６の排気ファン１７のみによって十分な排気が可能であり、箱体１０の内部に熱がこもることはない。
【００１３】
この構造は、従来のマウントユニット１２をそのまま大きくしてダクトを設置するだけであるから、比較的安価に製作することができる。また箱体１０に換気扇を設ける必要がないので、換気扇設置に伴うコスト上昇、換気扇動作音による騒音、故障の可能性、定期的なメンテナンスの必要性などのデメリットを回避することができる。
【００１４】
ただしユニット１６の取付け数が多いなど特に発熱量が多い場合には、図５に示すように排気ダクト１８の端面に補助換気扇２２を設けることも可能である。しかしこの場合にも、補助換気扇２２は箱体１０に取り付ける場合に比較して小型化しても十分な効果を発揮することができる。
【００１５】
なお、図６に示すように排気ダクト１８に先端が拡がるように傾斜を付け、排気がより抜け易いようにすることもできる。
【００１６】
また図７に示すように排気ダクト１８の先端に伸縮可能なスライド部２３を付加し、箱体１０の奥行き寸法が異なる場合にも、同一装置で対応できるようにすることもできる。
【００１７】
以上に説明したように、本発明によればマウントユニット１２に取り付けたユニット１６からの排気をスムーズに行わせ、箱体１０に換気扇を取り付けなくても優れた冷却効果を得ることができる。なお、排気ダクト１８に吸音材を取付けたり、昇温装置を取付けたりして、防音対策をすることもできる。
【図面の簡単な説明】
【００１８】
【図１】本発明の実施形態を示す斜視図である。
【図２】マウントユニット単体の斜視図である。
【図３】マウントユニットにユニットを取り付けた状態を示す斜視図である。
【図４】本発明の実施形態を示す断面図である。
【図５】補助換気扇を付加した実施形態を示す斜視図である。
【図６】排気ダクトに傾斜を付けた実施形態を示す斜視図である。
【図７】排気ダクトの先端にスライド部を付加した実施形態を示す斜視図である。
【図８】従来技術を示す斜視図である。
【符号の説明】
【００１９】
１  ユニット
２  排気ファン
３  マウントユニット
４  スリット
５  箱体
１０  本発明の箱体
１１  扉
１２  マウントユニット
１３  底部のユニット取付け片
１４  側面板
１５  上部のユニット取付け片
１６  ユニット
１７  排気ファン
１８  排気ダクト
１９  開口
２０  排気口
２１  フード
２２  補助換気扇
２３  スライド部
【図１】
2006060062.tif 000003
【図２】
2006060062.tif 000004
【図３】
2006060062.tif 000005
【図４】
2006060062.tif 000006
【図５】
2006060062.tif 000007
【図６】
2006060062.tif 000008
【図７】
2006060062.tif 000009
【図８】
2006060062.tif 000010